(57)【要約】【課題】一定以上の力が加えられた場合にも、スタンド部材がスタンド位置以上に回動するのを抑制することが可能な液晶テレビ用スタンドおよび表示装置用スタンドを提供する。【解決手段】スタンド部材２は、液晶テレビ５０の下面５１を設置面９０に接触させた状態で、かつ、ベース部材１に対して所定の角度傾斜された開状態にすることにより、液晶テレビ５０を支持する。また、メインスタンド７には、液晶テレビ５０を傾斜させた状態で、ベース部材１の当接部１ｈに当接することにより、スタンド部材２がスタンド位置以上に回動するのを規制するための突起部７ｆが、メインスタンド７の幅方向に延びるように一体的に設けられる。また、スタンド部材２は、規制部４ａと突起部７ｆとにより、スタンド位置以上に回動するのを規制される。【選択図】図１１
2006173846.tif 000002
【特許請求の範囲】
【請求項１】
液晶テレビの背面に取り付けられるベース部材と、前記ベース部材に取り付けられる金属製の保持部材と、前記ベース部材に回動可能に取り付けられたスタンド部材とを備えた液晶テレビ用スタンドにおいて、
前記スタンド部材は、前記液晶テレビの下面を設置面に接触させた状態で、かつ、前記ベース部材に対して所定の角度傾斜された開状態にされることにより、前記液晶テレビを支持し、
前記スタンド部材の外面には、前記液晶テレビを傾斜させた状態で前記ベース部材に当接することにより、前記スタンド部材がスタンド位置以上に回動するのを規制するための突起部が、前記スタンド部材の幅方向に延びるように一体的に設けられており、
前記ベース部材は、前記液晶テレビを傾斜させた状態で前記突起部に当接する当接部を含み、
前記ベース部材の当接部は、前記ベース部材の幅方向に延びるように形成されるとともに、前記スタンド部材が前記ベース部材に対して閉じた状態で、前記スタンド部材の外面の近傍にまで延びるように形成され、
前記保持部材には、前記スタンド部材がスタンド位置以上に回動するのを規制するための規制部が設けられており、
前記スタンド部材は、前記規制部と前記突起部とにより、前記スタンド位置以上に回動するのを規制される、液晶テレビ用スタンド。
【請求項２】
表示装置の背面に取り付けられるベース部材と、
前記ベース部材に回動可能に取り付けられ、前記表示装置の下面を設置面に接触させた状態で、かつ、前記ベース部材に対して所定の角度傾斜された開状態にされることにより、前記表示装置を支持するスタンド部材とを備え、
前記スタンド部材の外面には、前記表示装置を傾斜させた状態で、前記ベース部材に当接することにより、前記スタンド部材がスタンド位置以上に回動するのを規制するための突起部が一体的に設けられている、表示装置用スタンド。
【請求項３】
前記ベース部材は、前記表示装置を傾斜させた状態で前記突起部に当接する当接部を含み、
前記ベース部材の当接部は、前記スタンド部材が前記ベース部材に対して閉じた状態で、前記スタンド部材の外面の近傍にまで延びるように形成されている、請求項２に記載の表示装置用スタンド。
【請求項４】
前記スタンド部材の外面の突起部は、前記スタンド部材の幅方向に延びるように設けられるとともに、
前記ベース部材の当接部は、前記ベース部材の幅方向に延びるように設けられている、請求項３に記載の表示装置用スタンド。
【請求項５】
前記ベース部材に取り付けられる、金属製の保持部材をさらに備え、
前記保持部材には、前記スタンド部材が前記スタンド位置以上に回動するのを規制するための規制部が設けられており、
前記スタンド部材は、前記規制部と前記突起部とにより、前記スタンド位置以上に回動するのを規制される、請求項２〜４のいずれか１項に記載の表示装置用スタンド。
【発明の詳細な説明】
【技術分野】
【０００１】
この発明は、液晶テレビ用スタンドおよび表示装置用スタンドに関する。
【背景技術】
【０００２】
従来、スタンドを備えた液晶テレビなどの表示装置が種々提案されている（たとえば、特許文献１〜４参照）。
【０００３】
上記特許文献１には、モニタ本体を上下方向に回動させる際には、モニタ本体の背面に取り付けられる固定座の当接凸部を、モニタ本体を支持する柱部材の切り欠部に当接させることによって上下方向の回動を制限するとともに、モニタ本体を水平方向に回動させる際には、ベースに取り付けられた軸座の当接凸部を、柱部材に設置される位置決めリングの切り欠部に当接させることによって水平方向の回動を制限することが可能なモニタの角度調整装置が開示されている。
【０００４】
また、上記特許文献２には、制動係止機構および節度拘束機構の板バネにより、ディスプレイ部を回動可能に支持する枢支軸を挟み込むことにより、枢支軸を回りにくくすることによって、ディスプレイ部を水平状態または垂直状態で支持する液晶テレビにおいて、ディスプレイ部に取り付けられたストッパ面を、枢支軸に取り付けられたカム部材のカム凸部に当接させることにより、ディスプレイ部の下方向の回動を規制することが可能な液晶テレビの構造が開示されている。
【０００５】
また、上記特許文献３には、通常使用状態において、モニタ本体を上下方向に回動させる場合に、着脱可能なカバーのストッパー接触部にモニタ本体側部材に設けられた突起を当接させることによりモニタ本体の回動を制限するとともに、カバーを取り外したメンテナンス状態において、モニタ本体側部材に設けられた突起をスタンド側部材に設けられた溝に当接させることによりモニタ本体の回動を制限して、通常使用状態とメンテナンス状態とで回動角度の制限を変えることが可能なディスプレイモニタの構造が開示されている。
【０００６】
また、上記特許文献４には、本体部とスタンド支柱との間に設けられる連結体を、スタンド支柱の軸を中心に回動させることにより、本体部を水平方向または上下方向に回動させるスタンド式薄型テレビの構造において、連結体およびスタンド支柱に、互いに極性の異なる磁石を取り付けるとともに、その磁石の間に磁力調整スペーサを配置することにより、本体部をスタンド支柱に対して回動させる際に、所定の回転荷重を発生させることが可能なスタンド式薄型テレビの回転機構の構造が開示されている。
【特許文献１】実用新案登録第３０７７１６９号公報
【特許文献２】実開平５−４６１８２号公報
【特許文献３】特開２００２−１０６５４２号公報
【特許文献４】特開２００４−１３２４１０号公報
【発明の開示】
【発明が解決しようとする課題】
【０００７】
上記特許文献１に開示されたモニタ（表示装置）の角度調整装置では、モニタ本体が設置面に支持されていないので、固定座の当接凸部が柱部材の切り欠部に当接して、モニタ本体が下方向に回動した状態から、モニタ本体に下方向の一定以上の大きさの力が加えられた場合には、モニタ本体が下方向に回動しようとするため、モニタ本体を支持する柱部
材の切り欠部が破損する場合があるという問題点がある。
【０００８】
また、上記特許文献２に開示された液晶テレビ（表示装置）では、ディスプレイ部が設置面に支持されていないため、ストッパ面がカム凸部に当接して、ディスプレイ部が下方向に回動した状態から、ディスプレイ部に下方向の一定以上の大きさの力が加えられた場合には、ディスプレイ部が下方向に回動しようとするため、カム部材が破損する場合があるという問題点がある。
【０００９】
また、上記特許文献３に開示されたディスプレイモニタ（表示装置）では、モニタ本体が設置面に支持されていないので、通常使用状態において、カバーのストッパー接触部にモニタ本体側部材に設けられた突起を当接させて、モニタ本体が下方向に回動した状態から、モニタ本体に下方向の一定以上の大きさの力が加えられた場合には、カバーのストッパー接触部が破損する場合があるという問題点がある。
【００１０】
また、上記特許文献４に開示されたスタンド式薄型テレビ（表示装置）では、本体部の上下方向の回動を規制する機構が設けられていないため、本体部に一定以上の下方向の力が加えられた場合に、本体部が回動するのを規制することができないという問題点がある。
【００１１】
この発明は、上記のような課題を解決するためになされたものであり、この発明の１つの目的は、一定以上の力が加えられた場合にも、スタンド部材がスタンド位置以上に回動するのを抑制することが可能な液晶テレビ用スタンドおよび表示装置用スタンドを提供することである。
【課題を解決するための手段】
【００１２】
上記目的を達成するために、この発明の第１の局面による液晶テレビ用スタンドは、液晶テレビの背面に取り付けられるベース部材と、ベース部材に取り付けられる金属製の保持部材と、ベース部材に回動可能に取り付けられたスタンド部材とを備えた液晶テレビ用スタンドにおいて、スタンド部材は、液晶テレビの下面を設置面に接触させた状態で、かつ、ベース部材に対して所定の角度傾斜された開状態にされることにより、液晶テレビを支持し、スタンド部材の外面には、液晶テレビを傾斜させた状態でベース部材に当接することにより、スタンド部材がスタンド位置以上に回動するのを規制するための突起部が、スタンド部材の幅方向に延びるように一体的に設けられており、ベース部材は、液晶テレビを傾斜させた状態で突起部に当接する当接部を含み、ベース部材の当接部は、ベース部材の幅方向に延びるように形成されるとともに、スタンド部材がベース部材に対して閉じた状態で、スタンド部材の外面の近傍にまで延びるように形成され、保持部材には、スタンド部材がスタンド位置以上に回動するのを規制するための規制部が設けられており、スタンド部材は、規制部と突起部とにより、スタンド位置以上に回動するのを規制される。
【００１３】
この第１の局面による液晶テレビ用スタンドでは、上記のように、液晶テレビの下面を設置面に接触させた状態で、スタンド部材を、ベース部材に対して所定の角度傾斜された開状態にされることにより液晶テレビを支持するとともに、スタンド部材の外面に、液晶テレビを傾斜させた状態でベース部材に当接することにより、スタンド部材がスタンド位置以上に回動するのを規制するための突起部を設けることによって、液晶テレビに一定以上の大きさの下方向の力が加えられた場合に、その力が液晶テレビの下面とスタンド部材の接地部とに分散されるので、スタンド部材に加わる力が軽減されるとともに、ベース部材に当接した突起部により、スタンド部材がスタンド位置以上に回動するのを抑制することができる。これにより、液晶テレビに一定以上の大きさの下方向への力が加わった場合にも、スタンド部材およびスタンド部材を回転可能に支持するベース部材が破損するのを抑制することができる。また、突起部をスタンド部材に一体的に設けることによって、ス
タンド部材がスタンド位置以上に回動するのを規制する部材を別途設ける必要がないので、部品点数が増加するのを抑制することができる。また、ベース部材に、液晶テレビを傾斜させた状態で、突起部に当接する当接部を形成するとともに、当接部を、スタンド部材がベース部材に対して閉じた状態で、スタンド部材の外面の近傍にまで延びるように形成することによって、スタンド部材とベース部材との間隙が小さくなるので、スタンド部材の先端部がベース部材の内部に配置された部材に接触することによって、スタンド部材の先端部に傷がついた場合でも、スタンド部材とベース部材との間の間隙からスタンド部材の先端部についた傷が見えるのを抑制することができる。また、スタンド部材とベース部材との間の間隙が小さくなるので、スタンド部材とベース部材との間の間隙に指が詰まるのを抑制することができる。また、突起部に当接する当接部を、スタンド部材がベース部材に対して閉じた状態で、スタンド部材の外面の近傍にまで延びるように形成することによって、スタンド部材に設けられる突起部が小さい高さを有する場合であっても、容易に、突起部を当接部に当接させることができる。また、スタンド部材の突起部を、スタンド部材の幅方向に延びるように設けるとともに、ベース部材の当接部を、ベース部材の幅方向に延びるように設けることによって、スタンド部材の突起部とベース部材の当接部とが当接する部分の面積を大きくすることができるので、液晶テレビに下方向の強い力が加えられる場合にも、容易に、スタンド部材がスタンド位置以上に回動するのを抑制することができる。また、保持部材に、スタンド部材がスタンド位置以上に回動するのを規制するための規制部を設けるとともに、スタンド部材を、規制部と突起部とにより、スタンド位置以上に回動しないように規制することによって、液晶テレビに下方向の強い力が加えられる場合にも、容易に、保持部材の規制部とスタンド部材の突起部とにより、スタンド部材がスタンド位置以上に回動するのを規制することができる。
【００１４】
この発明の第２の局面による表示装置用スタンドは、表示装置の背面に取り付けられるベース部材と、ベース部材に回動可能に取り付けられ、表示装置の下面を設置面に接触させた状態で、かつ、ベース部材に対して所定の角度傾斜された開状態にされることにより、表示装置を支持するスタンド部材とを備え、スタンド部材の外面には、表示装置を傾斜させた状態で、ベース部材に当接することにより、スタンド部材がスタンド位置以上に回動するのを規制するための突起部が一体的に設けられている。
【００１５】
この第２の局面による表示装置用スタンドでは、上記のように、表示装置の下面を設置面に接触させた状態で、スタンド部材を、ベース部材に対して所定の角度傾斜された開状態にされることにより、表示装置を支持するとともに、スタンド部材の外面に、表示装置を傾斜させた状態で、ベース部材に当接することにより、スタンド部材がスタンド位置以上に回動するのを規制するための突起部を設けることによって、表示装置に一定以上の大きさの下方向への力が加えられた場合に、その力が表示装置の下面とスタンド部材の接地部とに分散されるので、スタンド部材に加わる力が軽減されるとともに、ベース部材に当接した突起部により、スタンド部材がスタンド位置以上に回動するのを抑制することができる。これにより、表示装置に一定以上の大きさの下方向への力が加わった場合にも、スタンド部材およびスタンド部材を回転可能に支持するベース部材が破損するのを抑制することができる。また、突起部をスタンド部材に一体的に設けることによって、スタンド部材がスタンド位置以上に回動するのを規制する部材を別途設ける必要がないので、部品点数が増加するのを抑制することができる。
【００１６】
上記第２の局面による表示装置用スタンドにおいて、好ましくは、ベース部材は、表示装置を傾斜させた状態で、突起部に当接する当接部を含み、ベース部材の当接部は、スタンド部材がベース部材に対して閉じた状態で、スタンド部材の外面の近傍にまで延びるように形成されている。このように構成すれば、スタンド部材とベース部材との間隙が小さくなるので、スタンド部材の先端部がベース部材の内部に配置された部材に接触することによって、スタンド部材の先端部に傷がついた場合でも、スタンド部材とベース部材との
間の間隙からスタンド部材の先端部についた傷が見えるのを抑制することができる。また、スタンド部材とベース部材との間の間隙が小さくなるので、スタンド部材とベース部材との間の間隙に指が詰まるのを抑制することができる。また、突起部に当接する当接部を、スタンド部材がベース部材に対して閉じた状態で、スタンド部材の外面の近傍にまで延びるように形成することによって、スタンド部材に形成された突起部が小さい高さを有する場合であっても、容易に、突起部を当接部に当接させることができる。
【００１７】
上記ベース部材に当接部が設けられた表示装置用スタンドにおいて、好ましくは、スタンド部材の外面の突起部は、スタンド部材の幅方向に延びるように設けられるとともに、ベース部材の当接部は、ベース部材の幅方向に延びるように設けられている。このように構成すれば、スタンド部材の突起部とベース部材の当接部とが当接する部分の面積を大きくすることができるので、表示装置に下方向の強い力が加えられる場合にも、容易に、スタンド部材がスタンド位置以上に回動するのを抑制することができる。
【００１８】
上記第２の局面による表示装置用スタンドにおいて、好ましくは、ベース部材に取り付けられる、金属製の保持部材をさらに備え、保持部材には、スタンド部材がスタンド位置以上に回動するのを規制するための規制部が設けられており、スタンド部材は、規制部と突起部とにより、スタンド位置以上に回動するのを規制される。このように構成すれば、表示装置に下方向の強い力が加えられる場合にも、容易に、保持部材の規制部とスタンド部材の突起部とにより、スタンド部材がスタンド位置以上に回動するのを規制することができる。
【発明を実施するための最良の形態】
【００１９】
以下、本発明を具体化した実施形態を図面に基づいて説明する。
【００２０】
図１は、本発明の一実施形態による液晶テレビ用スタンドを液晶テレビの背面に取り付けた状態を示した正面図である。図２〜図９は、図１に示した本発明の一実施形態による液晶テレビ用スタンドの詳細構造を説明するための図である。なお、本実施形態では、本発明の表示装置用スタンドを液晶テレビ用スタンドに適用した場合について説明する。
【００２１】
本発明の一実施形態による液晶テレビ用スタンドは、図１〜図３に示すように、液晶テレビ５０（図１および図２参照）の背面にネジ６０（図１参照）により取り付けられる樹脂製のベース部材１と、ベース部材１に回動可能に取り付けられるスタンド部材２と、スタンド部材２の下部に取り付けられるゴム製の接地部材３とを有している。
【００２２】
ここで、本実施形態では、図２に示すように、スタンド部材２は、液晶テレビ５０の下面５１を設置面９０に接触させた状態で、かつ、ベース部材１に対して所定の角度傾斜された開状態にされることにより、液晶テレビ５０を支持している。
【００２３】
また、図４に示すように、ベース部材１は、６つのボス部１ａと、４つのボス部１ｂと、補強リブ１ｃとを有している。また、６つのボス部１ａには、それぞれ、ネジ穴１ｄが設けられている。また、４つのボス部１ｂには、それぞれ、ネジ６０（図１参照）が挿入されるネジ挿入穴１ｅが設けられている。また、ベース部材１のスタンド部材２側には、図１に示すように、当接部１ｈが設けられている。
【００２４】
また、本実施形態では、当接部１ｈは、スタンド部材２がベース部材１に対して閉じた状態で、後述するメインスタンド７の外面部７ｂの近傍にまで延びるように形成されている。これにより、スタンド部材２とベース部材１との間の間隙７０（図９参照）に指が詰まるのを抑制することが可能となる。また、当接部１ｈは、ベース部材１の幅方向（図１のＧ方向）に延びるように形成されている。
【００２５】
また、図３に示すように、ベース部材１には、６つのネジ６１をベース部材１の６つのボス部１ａに設けられたネジ穴１ｄに締め付けることにより、金属製の保持部材４が取り付けられている。この保持部材４は、図４および図７に示すように、スタンド部材２がスタンド位置以上に回動するのを規制するための規制部４ａと、ベース部材１の方向に折り曲げられた一対の側壁４ｂとが設けられている。また、保持部材４には、ベース部材１の６つのボス部１ａに設けられるネジ穴１ｄに対応する位置にネジ挿入穴４ｃが設けられるとともに、ベース部材１の４つのボス部１ｂに設けられるネジ挿入穴１ｅに対応する位置にネジ挿入穴４ｄが設けられている。ベース部材１の４つのボス部１ｂに設けられるネジ挿入穴１ｅおよびネジ挿入穴４ｄを介して、ネジ６０を締め付けることにより、液晶テレビ用スタンドが液晶テレビ５０の背面に取り付けられる。また、一対の側壁４ｂには、後述する回転軸１０が挿入される回転軸挿入孔４ｅが設けられている。
【００２６】
また、図４に示すように、ベース部材１のスライダ収納部１ｆには、圧縮コイルバネ５が嵌め込まれたスライダ６が配置されている。この圧縮コイルバネ５は、スライダ６に設けられたバネ嵌合孔６ａに嵌め込まれている。また、図８に示すように、スライダ６のスタンド部材２側には、突起部６ｂが設けられている。また、突起部６ｂは、平坦面部６ｃおよび斜面部６ｄを有している。
【００２７】
また、図４〜図６に示すように、スタンド部材２は、樹脂製のメインスタンド７と、メインスタンド７にネジ６２により取り付けられる金属製のカバー部材８と、カバー部材８の突出部８ａに取り付けられる金属製の補強片９とを有している。このスタンド部材２は、メインスタンド７の回転軸取付孔７ａおよび保持部材４の回転軸挿入孔４ｅ（図７参照）に挿入されるとともに、ベース部材１の回転軸支持部１ｇ（図３および図４参照）に支持される回転軸１０を中心に回動可能に取り付けられている。また、メインスタンド７は、上記回転軸取付孔７ａと、外面部７ｂと、ベース部材１側の曲面を有する先端部７ｃと、コードを通すためのコード挿入部７ｄと、メインスタンド７の内部の空洞を補強するための補強リブ７ｅとを有している。なお、外面部７ｂは、本発明の「外面」の一例である。
【００２８】
ここで、本実施形態では、図１および図５に示すように、メインスタンド７の外面部７ｂには、液晶テレビ５０を傾斜させた状態で、ベース部材１の当接部１ｈに当接することにより、スタンド部材２がスタンド位置以上に回動するのを規制するための突起部７ｆが一体的に設けられている。これにより、スタンド部材２は、保持部材４に設けられる規制部４ａと突起部７ｆとにより、スタンド位置以上に回動するのを規制されている。また、この突起部７ｆは、メインスタンド７の外面部７ｂから反り上がるように形成されており、約０．４ｍｍの高さを有している。また、この突起部７ｆは、メインスタンド７の外面部７ｂの幅方向（図１および図５のＧ方向）の全域に渡って延びるように形成されている。
【００２９】
また、カバー部材８の突出部８ａと、カバー部材８の突出部８ａに取り付けられる補強片９とは、メインスタンド７の先端部７ｃよりもスライダ６の方向に突出するように設けられている。
【００３０】
図１０〜図１２は、液晶テレビ用スタンドの開閉動作を説明するための図である。次に、図９〜図１２を参照して、液晶テレビ用スタンドの開閉動作を説明する。まず、図９および図１０に示す液晶テレビ用スタンドが閉じた状態から、スタンド部材２を、図９の矢印Ｅ方向に回動させる。このとき、カバー部材８の突出部８ａに取り付けられる補強片９が、スライダ６の斜面部６ｄに当接するとともに、斜面部６ｄを押圧することによって、スライダ６が圧縮コイルバネ５の付勢力に抗して、図９の矢印Ｆ方向に押圧される。さら
に、この状態から、スタンド部材２を回動させることによって、カバー部材８の突出部８ａに取り付けられる補強片９が、スライダ６の斜面部６ｄを越えて、平坦面部６ｃを押圧する。そして、図１１および図１２に示すように、カバー部材８の突出部８ａに取り付けられる補強片９が、ベース部材１に取り付けられる保持部材４の規制部４ａに当接するとともに、メインスタンド７の突起部７ｆがベース部材１の当接部１ｈに当接するまで、スタンド部材２が回動される。これにより、液晶テレビ５０をスタンド位置で支持することが可能となる。
【００３１】
本実施形態では、上記のように、液晶テレビ５０の下面５１を設置面９０に接触させた状態で、スタンド部材２をベース部材１に対して所定の角度傾斜させた開状態にされることにより液晶テレビ５０を支持するとともに、メインスタンド７の外面部７ｂに、液晶テレビ５０を傾斜させた状態で、ベース部材１の当接部１ｈに当接することにより、スタンド部材２がスタンド位置以上に回動するのを規制するための突起部７ｆを設けることによって、液晶テレビ５０に一定以上の大きさの下方向（図２の矢印Ｈ方向）の力が加えられた場合に、その力が液晶テレビ５０の下面５１とスタンド部材２に取り付けられた接地部材３とに分散されるので、スタンド部材２に加わる力が軽減されるとともに、ベース部材１の当接部１ｈに当接した突起部７ｆにより、スタンド部材２がスタンド位置以上に回動するのを抑制することができる。これにより、液晶テレビ５０に一定以上の大きさの下方向（図２の矢印Ｈ方向）への力が加わった場合にも、スタンド部材２およびスタンド部材２を回転可能に支持するベース部材１が破損するのを抑制することができる。
【００３２】
また、本実施形態では、突起部７ｆをメインスタンド７に一体的に設けることによって、スタンド部材２がスタンド位置以上に回動するのを規制する部材を別途設ける必要がないので、部品点数が増加するのを抑制することができる。
【００３３】
また、本実施形態では、ベース部材１に、液晶テレビ５０を傾斜させた状態で、突起部７ｆに当接する当接部１ｈを形成するとともに、当接部１ｈを、スタンド部材２がベース部材１に対して閉じた状態で、メインスタンド７の外面部７ｂの近傍にまで延びるように形成することによって、メインスタンド７の外面部７ｂとベース部材１の当接部１ｈとの間隙が小さくなるので、メインスタンド７の先端部７ｃがベース部材１の内部に配置されたスライダ６の突起部６ｂに接触することによって、メインスタンド７の先端部７ｃに傷がついた場合でも、メインスタンド７とベース部材１との間の間隙７０からメインスタンド７の先端部７ｃについた傷が見えるのを抑制することができる。
【００３４】
また、本実施形態では、突起部７ｆに当接する当接部１ｈを、メインスタンド７の外面部７ｂの近傍にまで延びるように形成することによって、メインスタンド７に設けられる突起部７ｆが小さい高さ（約０．４ｍｍ）を有する場合であっても、容易に、突起部７ｆを当接部１ｈに当接させることができる。
【００３５】
また、本実施形態では、メインスタンド７の突起部７ｆを、メインスタンド７の外面部７ｂの幅方向（図１および図５のＧ方向）の全域に渡って延びるように形成するとともに、ベース部材１の当接部１ｈを、ベース部材１の幅方向（図１および図５のＧ方向）に延びるように形成することによって、メインスタンド７の突起部７ｆとベース部材１の当接部１ｈとが当接する部分の面積を大きくすることができるので、液晶テレビ５０に下方向（図２の矢印Ｈ方向）の強い力が加えられる場合にも、容易に、スタンド部材２がスタンド位置以上に回動するのを抑制することができる。
【００３６】
また、本実施形態では、保持部材４に、スタンド部材２がスタンド位置以上に回動するのを規制するための規制部４ａを設けるとともに、スタンド部材２を、規制部４ａと突起部７ｆとにより、スタンド位置以上に回動しないように規制することによって、液晶テレ
ビ５０に下方向（図２の矢印Ｈ方向）の強い力が加えられる場合にも、保持部材４の規制部４ａとメインスタンド７の突起部７ｆとにより、スタンド部材２がスタンド位置以上に回動するのを規制することができる。
【００３７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３８】
たとえば、上記実施形態では、本発明を、表示装置用スタンドの一例としての液晶テレビ用スタンドに適用した例を示したが、本発明はこれに限らず、スタンドを備えた表示装置であれば、プラズマディスプレイなどの他の表示装置のスタンドに適用してもよい。
【００３９】
また、上記実施形態では、スタンド部材がスタンド位置以上に回動するのを、規制部と突起部とにより規制する例を示したが、本発明はこれに限らず、突起部のみにより規制してもよい。
【００４０】
また、上記実施形態では、突起部に当接する当接部を、メインスタンドの外面部の近傍にまで延びるように形成する例を示したが、本発明はこれに限らず、メインスタンドの外面部とベース部材の当接部との間の間隙を小さくしなくてもよい。なお、この場合には、突起部の高さを大きくすることによって、スタンド部材が回動する際に、突起部が当接部に当接する必要がある。
【図面の簡単な説明】
【００４１】
【図１】本発明の一実施形態による液晶テレビ用スタンドを液晶テレビの背面に取り付けた状態を示した正面図である。
【図２】図１に示した本発明の一実施形態による液晶テレビ用スタンドを液晶テレビの背面に取り付けた状態を示した側面図である。
【図３】図１に示した本発明の一実施形態による液晶テレビ用スタンドの背面図である。
【図４】図１に示した本発明の一実施形態による液晶テレビ用スタンドの分解斜視図である。
【図５】図１に示した本発明の一実施形態による液晶テレビ用スタンドのスタンド部材を示した斜視図である。
【図６】図１に示した本発明の一実施形態による液晶テレビ用スタンドのスタンド部材の背面を示した斜視図である。
【図７】図１に示した本発明の一実施形態による液晶テレビ用スタンドの保持部材を示した斜視図である。
【図８】図１に示した本発明の一実施形態による液晶テレビ用スタンドのスライダを示した斜視図である。
【図９】図１の２００−２００線に沿った断面図である。
【図１０】本発明の一実施形態による液晶テレビ用スタンドの開閉動作を説明するための斜視図である。
【図１１】本発明の一実施形態による液晶テレビ用スタンドの開閉動作を説明するための断面図である。
【図１２】本発明の一実施形態による液晶テレビ用スタンドの開閉動作を説明するための斜視図である。
【符号の説明】
【００４２】
１  ベース部材
１ｈ  当接部
２  スタンド部材
４  保持部材
４ａ  規制部
７ｂ  外面部（外面）
７ｆ  突起部
５０  液晶テレビ（表示装置）
５１  下面
７０  間隙
９０  設置面
【図１】
2006173846.tif 000003
【図２】
2006173846.tif 000004
【図３】
2006173846.tif 000005
【図４】
2006173846.tif 000006
【図５】
2006173846.tif 000007
【図６】
2006173846.tif 000008
【図７】
2006173846.tif 000009
【図８】
2006173846.tif 000010
【図９】
2006173846.tif 000011
【図１０】
2006173846.tif 000012
【図１１】
2006173846.tif 000013
【図１２】
2006173846.tif 000014